【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
一列に積み上げられたシート状商品を支持するテーブルと、
前記積み上げられたシート状商品の上方に配置された吸引口により最上位の前記シート状商品を吸引する吸引装置と、
前記吸引装置に吸引された最上位のシート状商品とその下位のシート状商品との間に気流を吹き込む気流吹込装置と、
前記吸引装置に吸引された前記シート状商品を払出口へ向けて搬送する搬送装置と、
を備えるシート状商品払出装置。
【手続補正２】
【補正対象書類名】明細書
【補正対象項目名】００１９
【補正方法】変更
【補正の内容】
【００１９】
【図１】本発明の一実施例のシート状商品払出装置を示す斜視図である。
【図２】図１のシート状商品払出装置を構成する払出部の要部断面図である。
【図３】図２のIII−III線に沿った断面図である。
【図４】図２の払出部を示す、右サイドフレームおよびトップフレームを取り除いた状態の斜視図である。
【図５】図２の払出部を示す、左サイドフレームを取り除いた状態の斜視図である。
【図６】図２の払出部を構成する第１搬送装置の第１ローラ装置を示す斜視図である。
【図７】図２の払出部を構成する第２搬送装置の上ローラ装置を示す斜視図である。
【図８】シート状商品の一例を示す斜視図である。
【図９】図１のシート状商品払出装置の制御装置を示すブロック図である。
【図１０】図１のシート状商品払出装置の作動を説明するためのフローチャートである。
【手続補正３】
【補正対象書類名】明細書
【補正対象項目名】００２２
【補正方法】変更
【補正の内容】
【００２２】
まず、図１〜図７を参照しながら払出部１０４について説明する。払出部１０４は、左右のサイドフレーム１１２、１１４と、サイドフレーム１１２、１１４の上部に固定されたトップフレーム１１８とにより構成される払出フレーム１２０を有している。この払出フレーム１２０は、ベースフレーム１２２に立設された貯留部１０６の左右のサイドフレーム１２４、１２６に着脱可能に取り付けられている。したがって、払出部１０４の構成ユニットが故障した場合、新しい払出部１０４に交換することにより、対処することができる。左サイドフレーム１１２には、払出フレーム１２０内に突出し左サイドフレーム１１２に対し平行なサブフレーム１１９（図３参照）が取り付けられている。払出フレーム１２０内には、吸引装置１３０および搬送装置１３１が配置されている。搬送装置１３１は、第１搬送装置１３２および第２搬送装置１３５を有している。
【手続補正４】
【補正対象書類名】明細書
【補正対象項目名】００３１
【補正方法】変更
【補正の内容】
【００３１】
図７に示すように、第１ローラ装置１６０のローラ１７４ａ、１７４ｂは、例えばＥＰＤＭ等の耐摩耗性のゴムでリング状に覆われ、かつ、周面において周方向へ突出する一対の突起１７５をそれぞれ有している。突起１７５は、ローラ１７４ａ、１７４ｂの周面に少なくとも１つ配置すれば良いが、本実施例においては回転軸１７２Ａに対し対称に２つ配置してある。また、突起１７５の頂部には、シート状商品１００が引っかかるように複数の溝１７５Ａが形成してある。第２ローラ装置１６２のローラ１７４ｃ、１７４ｄも同様に一対の突起１７５をそれぞれ有している。
【手続補正５】
【補正対象書類名】明細書
【補正対象項目名】００３２
【補正方法】変更
【補正の内容】
【００３２】
第１ローラ装置１６０において、ローラ１７４ａの突起１７５は回転軸１７２Ａの中心軸線と直交する直線Ｌ１に沿って形成され、ローラ１７４ｂの突起１７５は回転軸１７２Ａの中心軸線ＡＸと直交する直線Ｌ２に沿って形成されており、回転軸１７２Ａの中心軸線ＡＸの方向から見て直線Ｌ１およびＬ２は約４５度の角度で交差する。換言すれば、ローラ１７４ａの突起１７５とローラ１７４ｂの突起１７５は約４５度の回転位相差を有している。第２ローラ装置１６２においても同様で、ローラ１７４ｃの突起１７５とローラ１７４ｄの突起１７５も約４５度の回転位相差を有している。さらに、図２に示すように、第１ローラ装置１６０のローラ１７４ａの突起１７５と第２ローラ装置１６２のローラ１７４ｃの突起１７５は、約４５度の回転位相差を有している。これにより、第１ローラ装置１６０および第２ローラ装置１６２が同期して回転した場合、ローラ１７４ａ〜１７４ｄの順で各突起１７５が約４５度の位相差を維持しながら所定位置に到達する。
【手続補正６】
【補正対象書類名】明細書
【補正対象項目名】００３３
【補正方法】変更
【補正の内容】
【００３３】
第１ローラ装置１６０および第２ローラ装置１６２のローラ１７４ａ〜１７４ｄの突起１７５は、回転時にシート状商品１００を上下動させる機能を有している。すなわち、シート状商品１００が突起１７５に乗り越える際にシート状商品１００の突起１７５に接する部位が上方に移動し、シート状商品１００の姿勢が変化する。その後の突起３６の通過に伴いによりシート状商品１００の当該部位は下方に移動して元の位置に復帰する。上記の通り、ローラ１７４ａ〜１７４ｄの各突起１７５は約４５度の位相差を維持しながら所定位置に到達するため、シート状商品１００は、突起１７５によって部位毎に異なるタイミングで上下動し、その上下動により常に姿勢を変化させながら、第１ローラ装置１６０および第２ローラ装置１６２により搬送される。換言すれば、第１ローラ装置１６０および第２ローラ装置１６２のローラ１７４ａ〜１７４ｄは、シート状商品１００を揺動（換言すれば、上下方向に振動）させながら所定の方向に搬送する搬送体１７６として機能する。
【手続補正７】
【補正対象書類名】明細書
【補正対象項目名】００３４
【補正方法】変更
【補正の内容】
【００３４】
なお、第１ローラ装置１６０および第２ローラ装置１６２において、ローラ１７４ａ〜１７４ｄの突起１７５を回転位相差を生じない位置に配置してもよいし、第１ローラ装置１６０のローラ１７４ａ、１７４ｂの突起１７５と第２ローラ装置１６２のローラ１７４ｃ、１７４ｄの突起との間に所定の回転位相差が生じるように配置することも可能である。シート状商品１００の形状などに応じて適宜に設定すれば良い。また、第１搬送装置１３２は、ローラ１７４ａ〜１７４ｄの代わりに、突起を有するベルトを用いた搬送装置とすることもできる。
【手続補正８】
【補正対象書類名】明細書
【補正対象項目名】００４３
【補正方法】変更
【補正の内容】
【００４３】
また、左サイドフレーム１１２にはケース２１１が取り付けられ、そのケース２１１に減速機２２０（図２参照）が固定され、その出力軸２２２に歯付きプーリ２１２、２１４と同径の歯付きプーリ２２４が固定されている。減速機２２０は、それに固定された第２電気モータ２２６によって回転される。
【手続補正９】
【補正対象書類名】明細書
【補正対象項目名】００４７
【補正方法】変更
【補正の内容】
【００４７】
貯留室２６０は、左右のサイドフレーム１２４、１２６の内側に配置された左右の内部サイドフレーム１２４Ａ、１２６Ａ（図３参照）、フロントフレーム１２７およびリヤフレーム１２８により囲まれ、吸引装置１３０の下方において縦方向に伸びる角柱状空間である。シート状商品１００は、リヤフレーム１２８を開いてテーブル２６２に積み上げられる。貯留室２６０は、ベース１３８の搬送通路１３９に連通している。
【手続補正１０】
【補正対象書類名】明細書
【補正対象項目名】００４９
【補正方法】変更
【補正の内容】
【００４９】
駆動装置２８０は、吸引装置１３０の側方に配置され、かつ、ケース２１１に取り付けられた減速機２８４と、減速機２８４に固定され、かつ、減速機２８４を駆動する第３電気モータ２８６と、減速機２８４の出力軸２８７に固定された駆動ギヤ（図示せず）と、サブフレーム１１９に固定された固定軸２９０と、この固定軸２９０に回転可能に取り付けられ、かつ、駆動ギヤ２８８に噛み合う中間ギヤ２９２と、サブフレーム１１９に固定された固定軸２９４、この固定軸２９４に回転可能に取り付けられた中間ギヤ２９６と、貯留部１０６のサイドフレーム１１２、１１４から両端部が突出し、端部にピニオンギヤ２９８が固定され、かつ、中間ギヤ２９６に噛み合う被動ギヤ３０４を有する回転軸３０２を有する。駆動装置２８０は、伝達装置２８２を介してテーブル２６２を吸引装置１３０に接近させたり、離したりする機能を有している。したがって、この機能を有していれば、他の機構を採用することができる。
【手続補正１１】
【補正対象書類名】明細書
【補正対象項目名】００６６
【補正方法】変更
【補正の内容】
【００６６】
次に、図１０を参照しながら、シート状商品払出装置１０２の作動について説明する。最初のステップＳ１において、シート状商品払出装置１０２が組み込まれた自動販売機の制御装置の払出指示信号Ｐが判別される。払出指示信号Ｐがある場合、ステップＳ２に進み、移動装置２６４の第３電気モータ２８６が逆転される。第３電気モータ２８６の回転により、減速機２８４、中間ギヤ２９２、２９６、被動ギヤ３０４および回転軸３０２を介してピニオンギヤ２９８が図５において時計方向へ回転される。これにより、ラック３１２が下方へ移動されるので、テーブル２６２およびテーブル２６２上のシート状商品１００が下降する。この下降によって、シート状商品１００により押し上げられている接触子２５２は下方へ移動し、第１センサ２５０はオフ信号ＯＦＦを出力する。
【手続補正１２】
【補正対象書類名】明細書
【補正対象項目名】００８４
【補正方法】変更
【補正の内容】
【００８４】
１００  シート状商品
１００Ｂ  シート状袋
１００Ｃ  板状商品
１０２  シート状商品払出装置
１０４  払出部
１０６  貯留部
１１２、１１４  サイドフレーム
１１７  フロントフレーム
１１８  トップフレーム
１１９  サブフレーム
１２０  払出フレーム
１２２  ベースフレーム
１２４、１２６  サイドフレーム
１２４Ａ、１２６Ａ  内部サイドフレーム
１２７  フロントフレーム
１２８  リヤフレーム
１３０  吸引装置
１３１  搬送装置
１３２  第１搬送装置
１３４  均し箱
１３５  第２搬送装置
１３６  吸引気流生成装置
１３８  ベース
１３８ａ、１３８ｂ  底部
１３８ｃ、１３８ｄ  側壁
１３８ｅ  上部
１３９  搬送通路
１４１  吸引口
１４２  搬送方向隔壁
１４８  第１チャンバ
１５０  第２チャンバ
１５１  第１電気モータ
１５２  軸流ファン
１５４  ケーシング
１５８  ステ
１６０  第１ローラ装置
１６２  第２ローラ装置
１７０  側壁
１７２Ａ、１７２Ｂ  回転軸
１７４ａ〜１７４ｄ  ローラ
１７５  突起
１７５Ａ  溝
１７６  搬送体
１７７  ストッパ
１７８  払出口
１８６  払出通路
１８８  上ローラ装置
１９０  下ローラ装置
１９１  固定軸
１９２  シャフト
１９４  ローラ
１９５  突起
１９５Ａ  溝
２００  レバ
２０２  シャフト
２０４  ローラ
２０６  ガイド板
２０６ａ  ガイド部
２０６ｂ  カバ部
２１０  駆動装置
２１１  ケース
２１２、２１４、２１６、２１８  歯付きプーリ
２２０  減速機
２２２  出力軸
２２４  歯付きプーリ
２２６  第２電気モータ
２２８  歯付きベルト
２３０  テンショナ
２３２  歯付きベルト
２３４  テンショナ
２５０  第１センサ
２５２  接触子
２６０  貯留室
２６２  テーブル
２６２  第２電気モータ
２６４  移動装置
２８０  駆動装置
２８２  伝達装置
２８４  減速機
２８６  第３電気モータ
２８７  出力軸
２８８  駆動ギヤ
２９０  固定軸
２９２、２９６  中間ギヤ
２９４  固定軸
２９８  ピニオンギヤ
３０２  回転軸
３０４  被動ギヤ
３１２  ラック
３１４  ピン
３１８  固定軸
３２０  ピンチローラ
３２２  パイプ
３２４  ガイドレール
３２６  昇降装置
３３０  落下防止装置
３３２  トルクリミッタ
３３４  固定軸
３３６  入力軸
３３８  ギヤ
３４０  制御レバ
３４２  ストッパ部
３４３  ノッチ
３７０  第２センサ
３７２  接触子
３８０  制御装置
３８２  主制御回路
３８４  ＲＯＭ
３８６  ＣＰＵ
３８８  ＲＡＭ
４００  気流吹込装置
４０２  気流導入口
４０４  開口
４０６  気流誘導体
４０８  カバ
Ｆ  払出信号
Ｐ  払出指示信号
Ｕ  上位置信号
【手続補正１３】
【補正対象書類名】図面
【補正対象項目名】図３
【補正方法】変更
【補正の内容】
【図３】
2013196444.tif 000001